(57)【要約】【課題】この考案は、電熱シートよりなる熱源をセットしておけば繰り返し使用できると共に、身体へ自由かつ容易にセットすることができ、かつ電池により発熱させることができるようにして、容易に身体局部を加熱することができることを目的としたものである。【解決手段】この考案は、容器内の一側へ、電熱シートを収容し、他側へ乾電池を収容すると共に、前記電熱シートと、電池と、電圧調整による温度制御器よりなる発熱回路としたことを特徴とする携帯加温治療器により、目的を達成した。【選択図】図１
0003122911.tif 000002
【実用新案登録請求の範囲】
【請求項１】
容器内の一側へ、電熱シートを収容し、他側へ乾電池を収容すると共に、前記電熱シートと、電池と、電圧調整による温度制御器よりなる発熱回路としたことを特徴とする携帯加温治療器。
【請求項２】
電熱シートは、カーボン繊維よりなる織布とし、これに電極を設けたことを特徴とする請求項１記載の携帯加温治療器。
【請求項３】
合成樹脂製の容器の一側に底側から断熱材層とアルミニュームよりなる反射シート及び電熱シートとを順次層着し、前記容器の他側へ乾電池を収容し、前記電熱シートと電池とにより発熱回路を構成したことを特徴とする携帯加温治療器。
【請求項４】
電熱シートは、和紙よりなる繊維（糸）で織成した布を炭化し、これに電極を設けたことを特徴とする請求項１記載の携帯加温治療器。
【請求項５】
電熱シートは、耐熱性シートの表面にカーボン塗料を塗布し、又は印刷した後、これに電極を設けたことを特徴とした請求項１記載の携帯加温治療器。
【請求項６】
容器内へ底部側より、断熱材、反射シート及び電熱シートを順次層着し、閉蓋してなる加温治療器と、別容器に収容した電池とをリード線で接続したことを特徴とする携帯加温治療器。
【考案の詳細な説明】
【技術分野】
【０００１】
この考案は、加熱時に遠赤外線を発生する加熱器であって、電池で作動し（例えば単四で７時間）携帯できるようにした携帯加温治療器に関する。
【０００２】
前記加温治療器は持運び自在であり、電池を具備しているので、例えば、登山、その他電気接続なく、発熱し得る加温治療器である。
【背景技術】
【０００３】
従来身体の局部を加熱する治療器としては、ヒータにより遠赤外線放射材を加熱して、遠赤外線を放射する治療器が知られ、加熱器としては電気カイロが知られている。
【０００４】
また床暖房用に電熱シートが提案されており、実用化が検討されている。
【特許文献１】特許第２９６８４４９号
【特許文献２】実公昭５９−１２８８７
【考案の開示】
【考案が解決しようとする課題】
【０００５】
前記治療器は、トルマリン層と遠赤外線放射材を加熱して所定波長の遠赤外線を放射させる機能を有し、病気の治療ができるとされている（特許文献１）。
【０００６】
また電熱カイロは、カーボンヒーターであって、通電により発熱する（特許文献２）。
【課題を解決するための手段】
【０００７】
この考案は通電により発熱する面発熱シートと電池とを組み込むことにより、前記従来の問題点を解決することに成功したのである。
【０００８】
即ちこの考案は、容器内の一側へ、電熱シートを収容し、他側へ乾電池を収容すると共に、前記電熱シートと、電池と、電圧調整による温度制御器よりなる発熱回路としたことを特徴とする携帯加温治療器であり、電熱シートは、カーボン繊維よりなる織布とし、これに電極を設けたものである。また他の考案は、合成樹脂製の容器の一側に底側から断熱材層とアルミニュームよりなる反射シート及び電熱シートとを順次層着し、前記容器の他側へ乾電池を収容し、前記電熱シートと電池とにより発熱回路を構成したことを特徴とする携帯加温治療器であり、電熱シートは、和紙よりなる繊維（糸）で織成した布を炭化し、これに電極を設けたものであり、電熱シートは、耐熱性シートの表面にカーボン塗料を塗布し、又は印刷した後、これに電極を設けたものである。
【０００９】
前記電熱シートは、和紙糸を織成した織布を８００℃〜１０００℃で炭化した炭化シート（電熱シート）である。または耐熱性シートの表面へ、炭素粉末を塗着（例えば粒の大きさ０．５ｍｍ〜１．０ｍｍ）した電熱シートである。
【００１０】
次に、容器内へ底部側より、断熱材、反射シート及び電熱シートを順次層着し、閉蓋してなる加温治療器と、別容器に収容した電池とをリード線で接続したことを特徴とする携帯加温治療器である。
【００１１】
前記電熱シートは、通電量によって３０℃〜５００℃の温度範囲で選択できるが、この考案においては、身体を局部的に加熱することを目的としたものであるから、４０℃〜１００℃の加熱で十分であり、電圧調整して最高温度を定めて、身体に不慮の危害が及ばないようにしてある。例えば温度調節ボタンを付設し、これにより最高１００℃、最低４０℃に定めることもできる。
【００１２】
前記発熱シートは、織成紙の炭化物又は炭素粉末であるから、容易に湾曲できる。そこで、柔軟性容器に入れた場合には、身体の線に合せて貼着（付着）することもできる。このような場合には、電池容器は、本体と分離し、リード線で電熱シートと電池とを接続する。
【００１３】
前記電池に、充電式電池を使用すれば、電池消費後、充電による再使用、再々使用が可能となる。
【考案の効果】
【００１４】
この考案によれば、熱源は電池であるから、家庭用電源と接続する必要がなく、豆炭によるカイロのような熱源の入れ換え、灰の排除などが不必要となる効果がある
また使い捨てでなく、電池の入れ換え又は充電により何回でも使用できる効果がある。
【００１５】
また容器に柔軟性を保有させると、前記加温治療器（耐熱シート上へ電熱シートを層着した場合はこれに当る）を身体へ密に当接して加温効果をあげることができる効果がある。
【００１６】
また有機遠赤外線を使用することで、温熱療法となり、次の効果が期待できる。
【００１７】
（１）腸内細菌の活性化
（２）免疫力の活性化
（３）体内酸素の活性化
前記免疫力の活性化については、１℃の加温で６倍の免疫の向上があるとされている。
【考案を実施するための最良の形態】
【００１８】
この考案は、容器内へ、電熱シートを敷設すると共に、電池を挿入し、回路を完結すれば、この考案の簡易保温器ができる。前記電熱シートの温度上限は選択できると共に、容器を柔軟材製にすれば、身体にフィットする保温器ができる。
【実施例１】
【００１９】
この考案の実施例を図１について説明すれば、平面矩形状の合成樹脂函１へ、電熱シート２を収容する凹入部３と、電池４を収容する凹入部５とを設ける。前記凹入部３には、下から断熱材６（例えば耐熱板又はシート）、反射シート７（例えばアルミニューム箔）を敷設し、その上に前記電熱シート２を敷設し、携帯加温治療器１０が構成された。図中８は温度摘み、９、１１は凹入部３、４のカバーである。
【００２０】
前記実施例は、回路１２（原理的）に示すように、スイッチ１３を入れることにより電流が流れて電熱シート２が発熱し、設定温度（例えば６０℃）に加温される。この場合に温度摘み８により温度を例えば４０℃〜６０℃に調節することができる。図中１４は可変抵抗器、１９は電極条（例えば銅板）である。
【実施例２】
【００２１】
この考案の他の実施例を図２について説明すると、柔軟容器１５（例えば身体の線に沿って変形できるような軟質シリコン樹脂）内へ断熱材６、反射シート７及び電熱シート２よりなる加温治療器１６と、電池４の容器１７とをリード線１８とで連結した携帯加温治療器２０である。図中２１、２２はカバーである。
【００２２】
この場合には、加温治療器１６を身体局部にセットし、電池容器１７はポケット（バッグ）などへ入れておくことができるので、加温治療器１６のセットの大きさの制限を大幅に緩和することができる。更に加温治療器１６の当接面に接着層を設ければ、加温治療器１６のセット条件を大幅に緩和することができる。
【００２３】
前記電熱シート２は、耐熱性合成樹脂シート２３（例えばシリコンシート、テフロン（登録商標）シート）上へ、カーボン塗料２４を塗布し、又は印刷し、その上に電極条１９を敷設したもので、図中２５はリード線である。
【図面の簡単な説明】
【００２４】
【図１】（ａ）この考案の実施例の平面図、（ｂ）同じく一部破切した正面図、（ｃ）同じく一部断面拡大図。
【図２】（ａ）同じく他の実施例の一部省略した断面図、（ｂ）同じく電熱シートの実施例の平面図、（ｃ）同じく正面図。
【図３】回路図。
【符号の説明】
【００２５】
１  合成樹脂函
２  電熱シート
３、５  凹入部
４  電池
６  断熱材
７  反射シート
１０、２０  携帯加温治療器
１２  回路
１５  柔軟な容器
１６  加温器
１７  電池容器
【図１】
0003122911.tif 000003
【図２】
0003122911.tif 000004
【図３】
0003122911.tif 000005